(57)【要約】【課題】被験者が望まない情報データを残さないようにすること。【解決手段】被験者は、装着している情報データ取得手段２，３によって情報データを記録している。一方、生体情報採取手段５は、これと同時に、被験者の状態を表す生体情報を採取している。情報記憶装置６には、情報データ取得手段２，３によって記録された情報データを記憶している。ここで、生体情報に基づいて被験者の状態が通常状態から非通常状態に移行したと判明した場合には、記録停止手段４１が、情報記憶装置６に対する情報データの記録を停止させる。【選択図】図１
2008251073.tif 000002
【特許請求の範囲】
【請求項１】
被験者が感じ取りうる情報として情報データを取得する情報データ取得手段と、
前記被験者が装着し、前記被験者の状態を表す生体情報を採取する生体情報採取手段と、
前記情報データ取得手段によって取得された情報データを記憶可能な情報記憶装置と、
前記生体情報に基づいて前記被験者の状態が通常状態から非通常状態に移行したと判明した場合、前記情報記憶装置に対する前記情報データの記憶を停止させる記録停止手段と
を有することを特徴とする情報データ記録装置。
【請求項２】
請求項１記載の情報データ記録装置において、
前記記録停止手段は、
前記生体情報採取手段によって採取された複数種類の前記生体情報の組み合わせに基づいて、前記被験者の状態が通常状態から非通常状態に移行したと判明した場合、前記情報記憶装置に対する前記情報データの記録を停止することを特徴とする情報データ記録装置。
【請求項３】
請求項１又は請求項２記載の情報データ記録装置において、
採取した前記生体情報の変化率を演算する微分演算手段を有し、
前記記録停止手段は、
前記生体情報の変化率に基づいて、前記被験者の状態が通常状態から非通常状態に移行したと判明した場合、前記情報記憶装置に対する前記情報データの記録を停止することを特徴とする情報データ記録装置。
【請求項４】
請求項１乃至請求項３のいずれか記載の情報データ記録装置において、
前記記録停止手段が作動すべき前記生体情報の条件を管理する停止条件管理手段と、
前記記録停止手段が作動すべき前記生体情報の条件となった場合、前記記録停止手段を作動させる停止作動手段と
を備えることを特徴とする情報データ記録装置。
【請求項５】
請求項１乃至請求項４のいずれか記載の情報データ記録装置において、
採取された前記生体情報に基づいて、前記被験者が非通常状態から通常状態に移行したことが判明した場合、前記情報記憶装置に対する前記情報データの記録を再開させる記録再開手段
を有することを特徴とする情報データ記録装置。
【請求項６】
請求項５記載の情報データ記録装置において、
前記記録再開手段は、
前記生体情報採取手段によって採取された複数種類の前記生体情報の組み合わせに基づいて、前記被験者の状態が非通常状態から通常状態に移行したと判明した場合、前記情報記憶装置に対する前記情報データの記録を再開することを特徴とする情報データ記録装置。
【請求項７】
請求項５又は請求項６記載の情報データ記録装置において、
採取した前記生体情報の変化率を演算する微分演算手段を有し、
前記記録再開手段は、
前記生体情報の変化率に基づいて、前記被験者の状態が非通常状態から通常状態に移行したと判明した場合、前記情報記憶装置に対する前記情報データの記録を再開することを特徴とする情報データ記録装置。
【請求項８】
請求項５乃至請求項７のいずれか記載の情報データ記録装置において、
前記記録再開手段が作動すべき前記生体情報の条件を管理する再開条件管理手段と、
前記記録再開手段が作動すべき前記生体情報の条件となった場合、前記記録再開手段を作動させる再開作動手段と
を備えることを特徴とする情報データ記録装置。
【請求項９】
請求項１乃至請求項８のいずれか記載の情報データ記録装置において、
前記情報記憶装置に記憶済みの情報データのうち、前記生体情報に基づいて前記被験者の状態が通常状態から非通常状態に移行した部分を削除する情報データ削除手段
を有することを特徴とする情報データ記録装置。
【請求項１０】
被験者が感じ取りうる情報として情報データを取得する情報データ取得手段と、
前記被験者が装着し、前記被験者の状態を表す生体情報を採取する生体情報採取手段と、
前記情報データ取得手段によって取得された情報データを記憶可能な情報記憶装置と、
前記情報記憶装置に記憶済みの情報データのうち、前記生体情報に基づいて前記被験者の状態が通常状態から非通常状態に移行した部分を削除する情報データ削除手段と
を有することを特徴とする情報データ記録装置。
【請求項１１】
請求項９又は請求項１０記載の情報データ記録装置において、
前記情報データ削除手段は、
前記生体情報採取手段によって採取された複数種類の前記生体情報の組み合わせに基づいて、前記被験者の状態が通常状態から非通常状態に移行したと判明した場合、前記情報記憶装置に記憶済みの情報データのうち、前記被験者の状態が通常状態から非通常状態に移行した部分を削除することを特徴とする情報データ記録装置。
【請求項１２】
請求項９乃至請求項１１のいずれかに記載の情報データ記録装置において、
採取した前記生体情報の変化率を演算する微分演算手段を有し、
前記情報データ削除手段は、
前記情報記憶装置に記録済みの情報データのうち、前記生体情報の変化率に基づいて、前記被験者の状態が通常状態から非通常状態に移行していた部分を削除することを特徴とする情報データ記録装置。
【請求項１３】
請求項９乃至請求項１２のいずれか記載の情報データ記録装置において、
前記情報データ削除手段が作動すべき前記生体情報の条件を管理する削除条件管理手段と、
前記情報データ削除手段が作動すべき前記生体情報の条件となった場合、前記情報データ削除手段を作動させる削除作動手段と
を備えることを特徴とする情報データ記録装置。
【請求項１４】
被験者が感じ取りうる情報として自己の情報データを取得する情報データ取得手段と、
他の被験者が装着し、前記情報データ取得手段の作動に同期しつつ他人の状態を表す他人の生体情報を採取する他人の生体情報採取手段と、
前記他人の生体情報に同期している前記自己の情報データを記憶可能な情報記憶装置と、
前記他人の生体情報に基づいて前記他人の状態が通常状態から非通常状態に移行したと判明した場合、前記情報記憶装置に記憶済みの自己の情報データを削除若しくは前記自己の情報データの取得を停止する情報データ操作手段と
を有すること特徴とする情報データ記録装置。
【発明の詳細な説明】
【技術分野】
【０００１】
本発明は、被験者が感じ取りうる例えば映像や音声のような情報データ（以下、「ライフログ」という）を記録可能な情報データ記録装置に関する。
【背景技術】
【０００２】
近年、映像や音声（以下「映像等」という）を取り扱う技術の発達が目覚ましく、いわゆるデジタルビデオカメラといった撮影装置について性能の向上に関する技術開発が盛んに行われている。このような技術を応用して、被験者としての人間が、その五感のうち少なくとも１つの感覚によって感じ取りうる情報（例えば映像や音）を恒常的に採取するアイデアが提案されている。
【０００３】
このようなアイデアは、被験者が意識することなく自らの体験などを残すことができる点において、ある意味、自らの歴史（以下「ライフログ」という）を残すことに応用することができる。このような被験者のライフログを恒常的に採取するには、例えば被験者が生活に支障なく装着可能なデジタルビデオカメラなどを日常的に装着しておき、連続してライフログを採取し続ける手法を採用することができる。
【０００４】
従来、このような映像などを採取する手法としては、利用者（上記被験者に相当）の嗜好情報を記録再生装置に予め登録しておき、その記録再生装置がその嗜好情報に応じて自動的に録画を行う手法が提案されている（特許文献１参照）。さらに、この公知技術においては、どの利用者が利用するのかについて確認（以下「認証」という）する機能として、その利用者の生体情報を活用することが提案されている。
【０００５】
具体的には、この公知技術においては、ある利用者が記録再生装置を利用するにあたり、その利用者を認証し、その利用者の嗜好情報を特定しておく構成となっている。この公知技術では、その利用者の嗜好情報を記録再生装置に予め登録しておくことで、その利用者の嗜好情報に基づく映像情報（上記「ライフログ」に相当）を恒常的に採取することができる。
【０００６】
【特許文献１】特開２００６−１００８８１号公報（段落番号００３３〜００５２、図３〜図５）
【発明の開示】
【発明が解決しようとする課題】
【０００７】
しかしながら、予め登録しておいた嗜好情報に基づいて録画が可能なものの、利用者にとっては、その置かれた周囲の状況次第で、録画状態が進行し続けることに抵抗を感じる場合がある。こうした状況でも利用者が制御できず、この録画状態が継続することは、その利用者に心理的ストレスを与え続けることになるという問題点があった。
【０００８】
本発明が解決しようとする課題には、上記した問題が一例として挙げられる。
【課題を解決するための手段】
【０００９】
上記課題を解決するために、請求項１記載の発明は、被験者が感じ取りうる情報として情報データを取得する情報データ取得手段と、前記被験者が装着し、前記被験者の状態を表す生体情報を採取する生体情報採取手段と、前記情報データ取得手段によって取得された情報データを記憶可能な情報記憶装置と、前記生体情報に基づいて前記被験者の状態が通常状態から非通常状態に移行したと判明した場合、前記情報記憶装置に対する前記情報データの記憶を停止させる記録停止手段とを有する。
【００１０】
上記課題を解決するために、請求項１０記載の発明は、被験者が感じ取りうる情報として情報データを取得する情報データ取得手段と、前記被験者が装着し、前記被験者の状態を表す生体情報を採取する生体情報採取手段と、前記情報データ取得手段によって取得された情報データを記憶可能な情報記憶装置と、前記情報記憶装置に記憶済みの情報データのうち、前記生体情報に基づいて前記被験者の状態が通常状態から非通常状態に移行した部分を削除する情報データ削除手段とを有する。
【００１１】
上記課題を解決するために、請求項１４記載の発明は、被験者が感じ取りうる情報として自己の情報データを取得する情報データ取得手段と、他の被験者が装着し、前記情報データ取得手段の作動に同期しつつ他人の状態を表す他人の生体情報を採取する他人の生体情報採取手段と、前記他人の生体情報に同期している前記自己の情報データを記憶可能な情報記憶装置と、前記他人の生体情報に基づいて前記他人の状態が通常状態から非通常状態に移行したと判明した場合、前記情報記憶装置に記憶済みの自己の情報データを削除若しくは前記自己の情報データの取得を停止する情報データ操作手段とを有する。
【発明を実施するための最良の形態】
【００１２】
以下、本発明の一実施の形態を図面を参照しつつ説明する。
＜第１実施形態＞
図１は、本発明の第１実施形態としてのライフログ記録装置１（情報データ記録装置）及びサーバ１００の構成例を示すシステム構成図である。
ライフログ記録装置１は、カメラ２（情報データ取得手段）、マイクロフォン３（情報データ取得手段）、生体情報取得部５（生体情報取得手段）、インターフェース部４、記録デバイス６（情報記憶装置）、判断回路９（記録停止手段）、通信部７及び制御回路１０（記録停止手段）を備えている。
【００１３】
カメラ２及びマイクロフォン３は、例えば被験者が装着可能な眼鏡形状の部材に設けられている。カメラ２は、その眼鏡形状の部材における被験者としての利用者の目の近傍に配置されており、利用者の視点からその周囲を撮影する機能を有する。このカメラ２が撮影した映像は、カメラ２から映像データ２ａとして出力される。
【００１４】
マイクロフォン３は、例えばその眼鏡形状の部材における利用者の耳の近傍に配置され、利用者の周囲の音を採取する機能を有する。このマイクロフォン３が採取した音は、マイクロフォン３から音データ３ａとして出力される。本実施形態では、これら映像データ２ａ及び音データ３ａのように利用者の体験を表す情報を「ライフログ」と総称している。なおライフログとしては、映像データ２ａ及び音データ３ａの両方のみならず、一方のみ或いはその他のデータ（例えば匂い、位置、味、温度、湿度、気圧やそれらの組み合わせ）をも採用してもよい。
【００１５】
生体情報取得部５は、利用者がライフログ記録装置１を装着した際に、その利用者の生体情報を取得する機能を有する。ここで生体情報とは、利用者の生体に関する情報の総称であり、例えば心拍数（脈拍）、血圧、発汗量及び涙量の少なくとも１つ又はこれらの組み合わせに関する情報を含んでいる。この生体情報としては、その利用者に関するその他の情報（体温等）であってもよい。
【００１６】
インターフェース部４は、カメラ２、マイクロフォン３及び生体情報取得部５が接続されているとともに、記録デバイス６が接続されている。このインターフェース部４は、カメラ２、マイクロフォン３及び生体情報取得部５と記録デバイス６とのインターフェース機能を有する。
【００１７】
記録デバイス６は、インターフェース部４を経由して入力された映像データ２ａ、音データ３ａ及び生体情報５ａのいずれか又はこれらいずれかの組み合わせを、各々記憶可能な情報記録媒体（情報記憶装置）である。以下の説明では、記録デバイス６に、主として映像データ２ａ及び音データ３ａを記録するものとして説明する。判断回路９は、制御回路１０の制御により、生体情報５ａに基づいて、これら映像データ２ａ及び音データ３ａの記録制御を行い、例えばこれらのデータを記録デバイス６に記録し続けるべきであるか否かを判断する機能を有する。
【００１８】
具体的には判断回路９は、生体情報５ａに基づいて利用者の状態が通常状態から非通常状態に移行したと判明すると、制御回路１０に対して、利用者の状態が通常状態から非通常状態に移行した旨を示すトリガー信号（以下「上限トリガー信号」という）を出力する。なお判断回路９は、生体情報５ａに基づいて利用者の状態が非通常状態から通常状態に移行すると、制御回路１０に対して、利用者の状態が非通常状態から通常状態に移行した旨を示すトリガー信号（以下「下限トリガー信号」という）を出力する。
【００１９】
制御回路１０は、判断回路９からの入力された上限トリガー信号等に基づいて、記録デバイス６に対する映像データ２ａ及び音データ３ａの記憶制御を行う。また制御回路１０は、記録デバイス６に記憶された映像データ２ａ及び音データ３ａを通信部７を経由して、例えばサーバ１００に出力する制御をする。通信部７は、制御回路１０の制御によって、記録デバイス６から読み出した映像データ２ａ及び音データ３ａを無線或いは有線によってサーバ１００にデータ通信を行う機能を有する。
【００２０】
図２は、図１に示す各ブロックのうち主として生体情報取得部５、判断回路９及び制御回路１０の電気的な構成例を示すブロック図である。なお図２では、生体情報取得部５と判断回路９との間に配置されていたインターフェース部４の図示を省略している。
生体情報取得部５は、例えば心拍数計測部１２、血圧計測部１４、発汗量計測部１６及び涙量計測部１８を備えている。
【００２１】
心拍数計測部１２及び血圧計測部１４は、各々、例えばバンド形状の部材の一部に設けられており、例えば利用者がそのバンドを手首に巻き付けた状態で作動される。心拍数計測部１２は、利用者の心拍数を計測するために用いられる計測器である。生体情報５ａとしての心拍数データ１３は、計測した利用者の心拍数に関する心拍数データ１３を判定回路９に出力する。血圧計測部１４は、利用者の血圧を計測するために用いられる計測器である。血圧計測部１４は、生体情報５ａとして、計測した利用者の血圧に関する血圧データ１５を判定回路９に出力する。
【００２２】
発汗量計測部１６及び涙量計測部１８は、各々、上記眼鏡形状のライフログ記録装置１の一部分に設けられている。発汗量計測部１６は、利用者の肌に接するように配置されている。この発汗量計測部１６は、利用者の発汗量を計測する計測器である。発汗量計測部１６は、計測した利用者の発汗量に関する発汗量データ１７（生体情報５ａ）を判定回路９に出力する。
【００２３】
涙量計測部１８は、その眼鏡形状のライフログ記録装置１のうちレンズ支持部材に設けられている。この涙量計測部１８は利用者の目に対面している。涙量計測部１８は、光学的に利用者の目の涙量を計測する機能を有する。この涙量計測部１８は、計測した利用者の涙量に関する涙量データ１９（生体情報５ａ）を判定回路９に出力する。
【００２４】
判定回路９は、閾値判定部２２，２４，２６，２８及び選択回路３０を備えている。閾値判定部２２は、心拍数計測部１２からの心拍数データ１３が入力される。閾値判定部２２は、例えば心拍数データ１３に基づく利用者の心拍数が規定の閾値以上となった場合、選択回路３０に対して上限トリガー信号２３を出力する。閾値判定部２４は、血圧計測部１４からの血圧データ１５に基づく利用者の血圧値が規定の閾値以上となった場合、選択回路に対して上限トリガー信号２５を出力する。
【００２５】
閾値判定部２６は、発汗量計測部１６からの発汗量データ１７が入力される。閾値判定部２６は、例えば発汗量データ１７に基づく利用者の発汗量が規定の閾値以上となった場合、選択回路３０に対して上限トリガー信号２７を出力する。閾値判定部２８は、涙量計測部１８からの涙量データ１９が入力される。閾値判定部２８は、例えば涙量データ１９に基づく利用者の涙量が規定の閾値以上となった場合、選択回路３０に対して上限トリガー信号２９を出力する。
【００２６】
選択回路３０には、閾値判定部２２，２４，２６，２８、記録停止部４１及びスイッチ部２０が接続されている。なおスイッチ部２０は、利用者が意図したタイミングで操作することによって、そのタイミングでトリガー信号を選択回路３０に出力するための操作部（操作手段）である。
【００２７】
選択回路３０は、閾値判定部２２，２４，２６，２８のいずれかから入力される上限トリガー信号２３等に基づいて、記録停止部４１に対して記録停止をすべき旨を示す記録停止信号３３ａを出力する。選択回路３０は、設定記憶部３０ａ（停止条件管理手段）を有している。この設定記憶部３０ａは、映像データ２ａ及び音データ３ａの記憶を制御するための選択設定を不揮発的に記憶している。
【００２８】
本実施形態では、これら閾値判定部２２，２４，２６，２８及びスイッチ部２０のうちのどれからのトリガー信号を用いて論理積或いは論理和を行って、論理積或いは論理和の結果としての記録停止信号を出力すべきかに関する設定を「選択設定」という。
【００２９】
選択回路３０は、設定記憶部３０ａに記憶されている選択設定に従って、上限トリガー信号２３等のうち少なくとも１つ又はこれらいずれかの組み合わせが入力された際に、制御回路１０に対して制御トリガー信号として停止トリガー信号３３ａを出力する。具体的には、選択回路３０は、選択設定に従って、これら閾値判定部２２，２４，２６，２８のうちの予め設定された少なくとも１つ或いは、これらいずれかの組み合わせからの上限トリガー信号２３等の論理積又は論理和に応じて、停止トリガー信号３３ａを出力する。このような組み合わせとしては、例えば「心拍数」と「血圧」の組み合わせで、緊張度を測ることを例示することができる。具体的には、例えば閾値に心拍数が２００％かつ、血圧値が通常の１５０％になった場合に上限トリガーが出力されるように設定しておくと、被験者の緊張状態を検知することができ、自動で取得を停止することができる。
【００３０】
ここで本実施形態では、設定記憶部３０ａに記憶されている選択設定は、例えば事前に登録できるモードとなっている。本実施形態では、このように事前に登録することを「プリセット」と呼び、このように事前に選択設定をプリセットしておくモードを「プリセットモード」と呼ぶ。このようなプリセットモードにおいて選択回路３０は、プリセットしておいた選択設定に従って、利用者の状態に応じて記録デバイス６への映像データ２ａ及び音データ３ａの記憶制御（例えば記憶を停止などの制御）を行うことができる。
【００３１】
制御回路１０は記録停止部４１を備えている。この記録停止部４１は、判定回路９の選択回路３０からトリガー信号３３ａを受け取ると、この停止トリガー信号３３ａが意味する制御内容に基づいて、映像データ２ａ及び音データ３ａの記録を制御する。本実施形態では、この停止トリガー信号３３ａが「記録停止」を意味することから、記録停止部４１は、記録デバイス６への映像データ２ａ及び音データ３ａの記録を停止させる。
【００３２】
ライフログ記録装置１等の構成例は以上のようであり、次に図１及び図２を参照しつつライフログ記録装置１の動作例について説明する。以下では、まず設定処理例を説明し、次に、その設定例に基づく動作例について説明する。
【００３３】
＜設定処理＞
図３は、プリセットモードにおける設定処理の手順の一例を示すフローチャートである。
この記録停止設定では、例えば利用者がライフログ記録装置１を操作して、どのような場合（利用者がどのような状態に置かれている場合）に、記録デバイス６への映像データ２ａ及び音データ３ａの記録を停止するのかに関する選択設定をプリセットする（ステップＳ１）。この選択設定は、選択回路３０の設定記憶部３０ａに不揮発的に記憶される。
【００３４】
本実施形態では、例えば利用者の生体情報において４つの条件のいずれかを満たした場合、ライフログの取得を停止するように設定するものとする。これら４つの条件のうち第１条件としては、利用者の心拍数が規定の閾値以上となったこととする。第２条件としては、利用者の血圧値が規定の閾値以上となったこととする。第３条件としては、利用者の発汗量が規定の閾値以上となったこととする。第４条件としては、利用者の涙量が規定の涙量以上となったこととする。具体的には、次のように選択設定をプリセットしておくことが可能である。
【００３５】
＜悲しいモード＞
この「悲しいモード」は、利用者が悲しみを感じている場合、涙量が増加することを利用している。具体的には、この「悲しいモード」では、涙量が通常時を１００％とした場合（通常状態）、例えば平均値で２００％に到達したときに（非通常状態）、映像データ２ａ及び音データ３ａの記録を停止する設定である。
【００３６】
＜緊張モード＞
この「緊張モード」は、心拍数、血圧又は発汗量の通常時の値を１００％とした場合（通常状態）、これらが平均して例えば＋２０％に上昇したときに（非通常状態）、記録デバイス６への映像データ２ａ及び音データ３ａの記録を停止する設定である。
【００３７】
＜ライフログ記録処理＞
図４は、ライフログの記録処理の手順の一例を示すフローチャートである。なお、以下の説明では、ライフログ記録装置１が設定済みの上記記録停止設定に従って動作するものとする。利用者は、例えばライフログ記録装置１を恒常的に装着し、ライフログを採取している。
【００３８】
このライフログ記録装置１は、利用者に関するライフログの記録を開始する（ステップＳ１１）。具体的には、ライフログ記録装置１は、カメラ２及びマイクロフォン３を備えている。このうち図１に示すカメラ２は、利用者の視点から視認可能な映像を撮影する。この映像に基づく映像データ２ａは、インターフェース部４を経由して記録デバイス６に記憶される。またマイクロフォン３は、利用者の周囲の音を採取し、この音に基づく音データ３ａは、インターフェース部４を経由して記録デバイス６に記憶される。これらカメラ２及びマイクロフォン３は、互いに同期して動作している。
【００３９】
また、このライフログ記録装置１は、これらの映像データ２ａ及び音データ３ａの記録と同期して、利用者の生体情報を採取している。具体的には、ライフログ記録装置１は生体情報取得部５を備えており、この生体情報取得部５は、心拍数計測部１２、血圧計測部１４、発汗量計測部１６及び涙量計測部１８を備えている。
【００４０】
心拍数計測部１２は利用者の心拍数を計測し、心拍数データ１３を判断回路９に対して出力している。血圧計測部１４は利用者の血圧を測定し、血圧データ１５を判断回路９に対して出力している。発汗量計測部１６は利用者の発汗量を計測し、発汗量データ１７を判断回路９に対して出力している。涙量計測部１８は利用者の涙量を計測し、涙量データ１９を判断回路９に対して出力している。
【００４１】
判断回路９では、閾値判定部２２などが次のように動作している。すなわち閾値判定部２２が心拍数データ１３に基づく利用者の心拍数が規定の心拍数以上となっているか否かを判断する。利用者の心拍数が規定の心拍数以上である場合には、閾値判定部２２が上限トリガー信号２３を選択回路３０に出力する。このように閾値判定部２２が上限トリガー信号２３を出力するのは、利用者の心拍数が高いときであり、例えば利用者が何かを見るか聞くかすることで驚きを感じた状態である。
【００４２】
閾値判定部２４は、血圧データ１５に基づく利用者の血圧値が規定の血圧値以上となっているか否かを判断する。利用者の血圧値が規定の血圧値以上である場合には、閾値判定部２４が上限トリガー信号２５を選択回路３０に出力する。このように閾値判定部２４が上限トリガー信号２５を出力するのは、利用者の血圧値が高いときであり、例えば利用者が何かを見るか聞くかすることで怒りを感じている状態である。
【００４３】
閾値判定部２６は、発汗量データ１７に基づく利用者の発汗量が規定の発汗量以上となっているか否かを判断する。利用者の発汗量が規定の発汗量以上である場合には、閾値判定部２６が上限トリガー信号２７を選択回路３０に出力する。このように閾値判定部２６が上限トリガー信号２７を出力するのは、利用者の発汗量が多いときであり、例えば利用者が何かを見るか聞いて焦りを感じている状態である。
【００４４】
閾値判定部２８は、涙量データ１９に基づく利用者の涙量が規定の涙量以上となっているか否かを判断する。利用者の涙量が規定の涙量以上である場合には、閾値判定部２６が上限トリガー信号２７を選択回路３０に出力する。このように閾値判定部２８が上限トリガー信号２９を出力するのは、利用者の涙量が多いときであり、例えば利用者が何かを見るか聞いて悲しみを感じている状態である。
【００４５】
このように利用者が例えば驚き、怒り、焦り及び悲しみの少なくとも１つを感じていると考えられる場合、利用者は、おそらくライフログ記録装置１によってライフログが記録されることを望まない状況に置かれている。そこで選択回路３０は、プリセットしておいた選択設定に従って、例えばこれら入力データの論理和を用いて、これらトリガー信号２３，２５，２７，２９のうちいずれかが入力されたか否かを判断する（ステップＳ１２）。
【００４６】
選択回路３０は、上限トリガー信号２３などのうちいずれかが入力されている場合、上限トリガー信号３３ａを制御回路１０に対して出力する。この制御回路１０は、判断回路９から上限トリガー信号３３ａを受け取ると、記録デバイス６への映像データ２ａ及び音データ３ａの記録を停止させる（ステップＳ１３）。
【００４７】
以上説明したように第１実施形態におけるライフログ記録装置１（情報データ記録装置）は、被験者（利用者）が感じ取りうる情報として情報データ２ａ，３ａ（映像データ及び音データ）を取得する情報データ取得手段２，３（カメラ及びマイクロフォン）と、その被験者が装着し、その被験者の状態を表す生体情報１３，１５，１７，１９（５ａ）を採取する生体情報採取手段５（生体情報取得部）と、その情報データ取得手段５によって取得された情報データ２ａ，３ａを記憶可能な情報記憶装置６（記録デバイス）と、その生体情報１３，１５，１７，１９（５ａ）に基づいて被験者の状態が通常状態から非通常状態に移行したと判明した場合、その情報記憶装置６に対する情報データ２ａ，３ａの記憶を停止させる記録停止手段４１（記録停止部）とを有する。なお、その情報記憶装置６に対する記憶の停止は、情報データ２ａ，３ａのみならず、生体情報５ａをも含めるようにしても良い。
【００４８】
このようにすると、例えば利用者が驚き、怒り、焦り及び悲しみの少なくとも１つを感じていると考えられる場合、ライフログ記録装置１は映像データ２ａ及び音データ３ａを記録しないため、利用者にとって不快な映像や音声をライフログとして残さないようにすることができる。
【００４９】
つまり第１実施形態によれば、被験者（利用者）が望まない状況における情報データ２ａ，３ａ（映像データ及び音データ）を取得しないようにすることができる。よって利用者（被験者）は、他人に見せたくないライフログ（映像データ２ａ及び音データ３ａ）を残さないようにすることができる。
【００５０】
上記第１実施形態における情報データ記録装置１は、記録停止手段４１（記録停止部）は、生体情報採取手段５（生体情報取得部）によって採取された複数種類の生体情報１３，１５，１７，１９のいずれかの組み合わせに基づいて、被験者の状態が通常状態から非通常状態に移行したと判明した場合、情報記憶装置６（記録デバイス）に対する情報データ２ａ，３ａの記憶を停止してもよい。
【００５１】
このような構成とすると、１つの生体情報に基づいて判断した場合よりも、複数種類の生体情報に基づいて判断した方が被験者の状態をより正確に判定することができるため、この被験者の状態が通常状態から非通常状態に移行したことを正確に判定することができる。このため第１実施形態によれば、記録デバイス６への映像データ２ａ及び音データ３ａの記憶を停止するタイミングをより適切にすることができる。
【００５２】
上記第１実施形態における情報データ記録装置１は、その記録停止手段４１（記録停止部）が作動すべき生体情報２ａ，３ａの条件（選択条件）を管理する停止条件管理手段３０ａ（設定記憶部）と、この記録停止手段４１（記録停止部）が作動すべき生体情報の条件となった場合、その記録停止手段４１を作動させる停止作動手段（選択回路３０の一部の機能）とを有している。
【００５３】
このような構成とすると、恒常的にライフログを採取していても、設定記憶部３０ａに適切に選択設定を行っておけば、利用者が望まない映像データ２ａ及び音データ３ａをライフログとして残さないようにすることができる。
【００５４】
＜第２実施形態＞
第２実施形態では、第１実施形態とほぼ同様の構成でありほぼ同様の動作であることから、同一の構成及び動作については第１実施形態における図１乃至図４と同一の符号を用いるとともに、その説明を省略し、以下の説明では異なる点を中心として説明する。
【００５５】
図５は、本発明の第２実施形態としてのライフログ記録装置１ａの一部の構成例を示すブロック図である。
第２実施形態としてのライフログ記録装置１ａは、第１実施形態における制御回路１０に記録再開部４２を備えている点が異なっている。
【００５６】
ライフログ記録装置１ａは、第１実施形態のような動作をするとともに、さらに次のような動作をする。判定回路９の閾値判定部２２は、例えば心拍数データ１３に基づく利用者の心拍数が規定の閾値以下となった場合、選択回路３０に対して下限トリガー信号２３を出力する。閾値判定部２４は、血圧計測部１４からの血圧データ１５に基づく利用者の血圧値が規定の閾値以下となった場合、選択回路に対して下限トリガー信号２５を出力する。
【００５７】
閾値判定部２６は、例えば発汗量データ１７に基づく利用者の発汗量が規定の閾値以下となった場合、選択回路３０に対して下限トリガー信号２７を出力する。閾値判定部２８は、例えば涙量データ１９に基づく利用者の涙量が規定の閾値以下となった場合、選択回路３０に対して下限トリガー信号２９を出力する。
【００５８】
選択回路３０は、閾値判定部２２，２４，２６，２８のいずれかから各々下限トリガー信号２３，２５，２７，２９が入力されると、記録再開部４１に対して再開トリガー信号３３ｂを出力する。記録再開部４１は、選択回路３０から再開トリガー信号３３ｂを受け取った場合、記録デバイス６への映像データ２ａ及び音データ３ａの記録を再開する。
【００５９】
第２実施形態としてのライフログ記録装置１ａの構成例は以上のようであり、次に設定例及び動作例について説明する。
＜設定処理＞
図６は、第２実施形態における設定処理の手順の一例を示すフローチャートである。なお図６は、第１実施形態における図３とほぼ同様の手順を実行するため、同様の手順についてはその説明を省略し、第１実施形態と異なる点を中心として説明する。
【００６０】
第２実施形態における設定処理では、利用者が、第１実施形態における記録停止設定（ステップＳ１）に加えてさらに、後述する記録再開設定（ステップＳ２）を行う点が異なっている。この記録再開設定では、一旦停止した記録デバイス６への映像データ２ａ及び音データ３ａの記録を、どのような条件のときに再開するのかに関して設定する。本実施形態では、例えば利用者の生体情報５（１３，１５，１７，１９）が規定の下限閾値となったことを契機として再開するものとする。
【００６１】
具体的には、第２実施形態では、第１条件として利用者の心拍数が規定の下限閾値以下となり、かつ、第２条件として利用者の血圧が規定の下限閾値以下となり、かつ、第３条件として利用者の発汗量が規定の下限閾値以下となり、かつ、第４条件として利用者の涙量が規定の下限閾値以下となった場合に、記録デバイス６への映像データ２ａ及び音データ３ａの記録を再開するものと設定する。本実施形態では、例えば次のような選択設定を設定記憶部３０ａに記憶させるものとする。
【００６２】
＜悲しいモード＞
この「悲しいモード」は、第１実施形態でも述べたように利用者が悲しみを感じている場合、涙量が増加することを利用している。また、この「悲しいモード」では、心拍数が通常時を１００％とした場合に（通常状態）、１１０％（非通常状態）から低下して１００％となったときに、映像データ２ａ及び音データ３ａの記録を再開すべきとする設定である。
【００６３】
＜緊張モード＞
この「緊張モード」は、心拍数、血圧又は発汗量の通常時の値を１００％とした場合（通常状態）、これらが平均して１２０％（非通常状態）から１００％に低下したときに、映像データ２ａ及び音データ３ａの記録を再開すべきとする設定である。
【００６４】
＜動作例＞
図７は、第２実施形態としてのライフログ記録装置１ａの動作例を示すフローチャートである。なお図７における手順は、第１実施形態における図４における手順とほぼ同様であるため、同一の手順は同一の符号を付して説明を省略し、異なる点を中心として説明する。
【００６５】
ライフログ記録装置１ａは、第１実施形態において説明したように、利用者の生体情報に基づいて、記録停止部４１が既に記録デバイス６への映像データ２ａ及び音データ３ａの記録を停止している（ステップＳ１３）。ステップＳ１４では、記録再開部４１が選択回路３０から再開トリガー信号３３ｂを受け取ったか否かを判断する。再開トリガー信号３３ｂを受け取っていない場合、記録再開部４１は、そのまま再開トリガー信号３３ｂの受け取るまでを待ち続ける。一方、再開トリガー信号３３ｂを受け取った場合、記録再開部４１は、記録デバイス６への映像データ２ａ及び音データ３ａの記録を再開させる。
【００６６】
つまりカメラ２が撮影した映像は、映像データ２ａとしてインターフェース部４を介して記録デバイス６に格納される。一方、マイクロフォン３が採取した音は、音データ３ａとしてインターフェース部４を介して記録デバイス６に格納される。このようにして映像データ２ａ及び音データ３ａの記録がその利用者のライフログとして記録が再開される。
【００６７】
上記第２実施形態におけるライフログ記録装置１ａは、採取された生体情報５ａに基づいて、その被験者（利用者）が非通常状態から通常状態に移行したことが判明した場合、その情報記憶装置６に対する情報データ（映像データ２ａ及び音データ３ａ）の記録を再開させる記録再開手段４２（記録再開部）を有することを特徴としている。
【００６８】
第２実施形態によれば、例えば利用者の心理状態が不安定となり、一旦、ライフログの採取を停止した場合であっても、その後、利用者の心理状態が安定すれば、自動的にライフログの記録を再開することができる。
【００６９】
上記第２実施形態におけるライフログ記録装置１ａは、記録再開部４２が、生体情報採取手段５（生体情報取得部）によって採取された複数種類の生体情報５ａの組み合わせに基づいて、被験者（利用者）の状態が非通常状態から通常状態に移行したと判明した場合、情報記憶装置６（記録デバイス）に対する情報データ２ａ，３ａ（映像データ及び音データ）の記録を再開することを特徴としている。
【００７０】
このような構成とすると、１つの生体情報に基づいて判断した場合よりも、複数種類の生体情報に基づいて判断した方が被験者の状態をより正確に判定することができるため、この被験者の状態が非通常状態から通常状態に移行したことを正確に判定することができる。このため、このような構成によれば、記録デバイス６への映像データ２ａ及び音データ３ａの記憶を再開するタイミングをより適切にすることができる。
【００７１】
上記構成において、その記録再開手段４２が作動すべき生体情報の条件（選択設定）を管理する再開条件管理手段３０ａ（設定記憶部）と、この記録再開手段４２が作動すべき生体情報の条件となった場合、この記録再開手段４２を作動させる再開作動手段（選択回路３０の一部の機能）とを有することを特徴としている。
【００７２】
このような構成とすると、利用者自らが映像データ２ａ及び音データ３ａの記録の再開操作をしなくても、設定記憶部３０ａに適切に選択設定を行っておけば、利用者が再度ライフログの記録を望んだ場合にもライフログの記録を再開することができる。
【００７３】
＜第３実施形態＞
第３実施形態では、第１実施形態及び第２実施形態とほぼ同様の構成でありほぼ同様の動作であることから、同一の構成及び動作については第１実施形態及び第２実施形態における図１乃至図７と同一の符号を用いるとともに、その説明を省略し、以下の説明では異なる点を中心として説明する。
【００７４】
図８は、第３実施形態としてのライフログ記録装置１ｂの一部の構成例を示すブロック図である。
第３実施形態としてのライフログ記録装置１ｂは、第２実施形態における制御回路１０に加えてさらに、削除部４３を備えている点が異なっている。
【００７５】
判定回路９の閾値判定部２２は、例えば心拍数データ１３に基づく利用者の心拍数が規定の閾値以上となった場合、選択回路３０に対して上限トリガー信号２３を出力する。閾値判定部２４は、血圧計測部１４からの血圧データ１５に基づく利用者の血圧値が規定の閾値以上となった場合、選択回路に対して上限トリガー信号２５を出力する。
【００７６】
閾値判定部２６は、例えば発汗量データ１７に基づく利用者の発汗量が規定の閾値以上となった場合、選択回路３０に対して上限トリガー信号２７を出力する構成となっている。閾値判定部２８は、例えば涙量データ１９に基づく利用者の涙量が規定の閾値以上となった場合、選択回路３０に対して上限トリガー信号２７を出力する構成となっている。
【００７７】
選択回路３０は、閾値判定部２２，２４，２６，２８のいずれかの上限トリガー信号２３等が入力された場合、削除部４３に対して削除トリガー信号３３ｃを出力する。ここで記録デバイス６に記録済みの映像データ２ａ及び音データ３ａには、同期させる際に付した記録時刻を表す時刻コードが付されている。削除部４３は、削除トリガー信号３３ｃの入力を契機として、記録デバイス６に記憶済みの映像データ２ａ及び音データ３ａにおける該当する時刻部分のデータを削除時間分にわたり削除する。
【００７８】
＜設定処理例＞
図９は、設定処理の手順の一例を示すフローチャートである。なお図９では、図６に示す第２実施形態における設定処理とほぼ同様であるので、異なる点を中心として説明する。
ステップＳ３では、次のように削除設定を行う。つまり第３実施形態では、例えば心拍数データ１３に基づく利用者の心拍数が規定の閾値以上である場合、血圧データ１５に基づく利用者の血圧値が規定の閾値以上である場合、発汗量データ１７に基づく利用者の発汗量が規定の閾値以上である場合、又は、涙量データ１９に基づく利用者の涙量が規定の閾値以上である場合に、ライフログとしての映像データ２ａ及び音データ３ａの削除を行うようにプリセットする。また第３実施形態では、さらに映像データ２ａ及び音データ３ａを削除すべき時間（「削除時間」という）をプリセットすることもできる。このプリセットモードでは、例えば記録停止条件、記録再開条件及び削除条件を設定することができる。
【００７９】
＜びっくり（驚き）モード＞
この「びっくりモード」は、利用者が驚いた場合、心拍数及び発汗量が急激に高くなることを利用して、そのような状態に陥ったときに、削除時間として１０分にわたり映像データ２ａ及び音データ３ａを削除するための設定である。
【００８０】
＜複数定義モード＞
またこのような設定としては、複数の設定を同時に設定して、いずれかの設定となったときに動作するようにしてもよい。この複数定義モードとしては、例えばこの「びっくりモード」と上記第２実施形態における「緊張モード」とを同時に満たした場合に作動するように設定してもよい。
【００８１】
＜動作例＞
図１０は、第３実施形態としてのライフログ記録装置１ｂの動作例を示すフローチャートである。なお第３実施形態では、映像データ２ａ及び音データ３ａの記録の停止、再開、削除のトリガー閾値を、各々、例えば別々に設定している。
第１実施形態及び第２実施形態に示すように上限トリガー及び下限トリガーによって映像データ２ａ及び音データ３ａの記録制御した後、記録再開部４２によって記録デバイス６への映像データ２ａ及び音データ３ａの記録を再開する（ステップＳ１５）。次に判定回路９は、選択回路３０が閾値判定部２２などからさらに上限トリガー信号２３，２５，２７，２９を受け取ったか否かを判断する（ステップＳ１６）。
【００８２】
選択回路３０は、トリガー信号２３等を受け取っていない場合にはトリガー信号２３等を受け取るまで待ち、トリガー信号２３等を受け取った場合には削除部４３に対して削除トリガー信号３３ｃを出力する。削除部４３は、削除トリガー信号３３ｃを受け取ると、その受け取り時刻から削除時間にわたり映像データ２ａ及び音データ３ａを削除する（ステップＳ１７）。
【００８３】
上記実施形態におけるライフログ記録装置１ｃは、この情報記憶装置６に記憶済みの情報データ２ａ，３ａ（映像データ及び音データ）のうち、生体情報５ａ（１３，１５，１７，１９）に基づいて被験者の状態が通常状態から非通常状態に移行した部分（例えば削除トリガー信号３３ｃの受け取り時刻から削除時間分）を削除する情報データ削除手段４３（削除部）を有することを特徴とする。
【００８４】
第３実施形態によれば、設定記憶部３０ａの選択設定を適切に行えば、例えば利用者が残したくない状況におけるライフログ（映像データ２ａ及び音データ３ａ）を自動的に削除することができる。
【００８５】
上記第３実施形態における情報データ記録装置１は、情報データ削除手段４１（情報データ削除部）は、生体情報採取手段５（生体情報取得部）によって採取された複数種類の生体情報１３，１５，１７，１９のいずれかの組み合わせに基づいて、被験者の状態が通常状態から非通常状態に移行したと判明した場合、情報記憶装置６（記憶デバイス）に記憶済みの情報データ２ａ，３ａ（映像データ及び音データ）のうち、被験者（利用者）の状態が通常状態から非通常状態に移行した部分を削除している。
【００８６】
このような構成とすると、１つの生体情報に基づいて判断した場合よりも、複数種類の生体情報に基づいて判断した方が被験者の状態をより正確に判定することができるため、この被験者の状態が通常状態から非通常状態に移行したことを正確に判定することができる。このため第３実施形態によれば、記録デバイス６に記憶済みの映像データ２ａ及び音データ３ａを削除するタイミングをより適切にすることができる。
【００８７】
上記構成によれば、情報データ削除手段４３（削除部）が作動すべき生体情報の条件（選択条件）を管理する削除条件管理手段３０ａ（設定記憶部）と、その情報データ削除手段４３が作動すべき生体情報の条件となった場合、その情報データ削除手段４３を作動させる削除作動手段（選択回路の一部の機能）とを有することを特徴とする。
【００８８】
このような構成によれば、例えば利用者が所望の選択条件を設定すれば、利用者が気分を害するような状況においてライフログを採取しないようにすることができる。
【００８９】
＜第３実施形態の変形例＞
第３実施形態では、図１０に示すように映像データ２ａ及び音データ３ａの記録を停止した後に、それらの記録を再開し、その後に映像データ２ａ及び音データ３ａを削除しているが、これに限られない。
【００９０】
具体的には、第３実施形態の変形例としてのライフログ記録装置は、第２実施形態における制御回路１０に記録停止部４１及び記録再開部４２が存在しておらず、削除部４３を備えていてもよい。この削除部４３は、判断回路９からの制御トリガー信号として削除トリガー信号３３ｃを受け取った場合、記録デバイス６に記憶済みの映像データ２ａ及び音データ３ａを、削除トリガー信号３３ｃを受け取った時刻から削除時間にわたり削除する。
【００９１】
つまり第３実施形態は、このように映像データ２ａ及び音データ３ａの記録を停止することなく恒常的に記録し続ける状態で（例えば図１０のステップＳ１１とステップＳ１２の間のような状態）、削除部４３が削除トリガー信号３３ｃの受け取りを契機として、削除時間分にわたり映像データ２ａ及び音データ３ａの該当個所を削除する形態を採用してもよい。
【００９２】
このような構成とすると、恒常的にライフログを記録する場合においても、利用者がライフログの記録を望まなかった状況において、自動的に、記録済みのライフログを削除することができる。
【００９３】
＜第４実施形態＞
第４実施形態では、第１実施形態乃至第３実施形態とほぼ同様の構成でありほぼ同様の動作であることから、同一の構成及び動作については第１実施形態乃至第３実施形態における図１乃至図１０と同一の符号を用いるとともに、その説明を省略し、以下の説明では異なる点を中心として説明する。
【００９４】
図１１は、本発明の第４実施形態としてのライフログ記録装置１ｃの構成例を示すブロック図である。なお制御回路１０内には削除部４３しか図示していないが、これに限られず、記録停止部４１及び記録再開部４２が存在していてもよいことはいうまでもない。
【００９５】
第４実施形態としてのライフログ記録装置１は、第１実施形態乃至第３実施形態における判断回路９内に、その閾値判定部２２，２４，２６，２８と生体情報取得部５との間に各々微分器３２，３４，３６，３８を備えている点が異なっている。
【００９６】
微分器３２は、入力された心拍数データ１３に基づく心拍数の単位時間あたりの変化量（変化率）を演算する機能を有する。微分器３４は、入力された血圧データ１５に基づく血圧値の単位時間あたりの変化量（変化率）を演算する機能を有する。微分器３６は、入力された発汗量データ１７に基づく発汗量の単位時間あたりの変化量（変化率）を演算する機能を有する。微分器３６は、入力された涙量データ１９に基づく涙量の単位時間あたりの変化量（変化率）を演算する機能を有する。
【００９７】
そして閾値判定部２２，２４，２６，２８は、第１実施形態乃至第３実施形態とは異なり、その閾値として各々閾値変化率に基づいて閾値変化率に到達したか否かの判定を行う。具体的には、閾値判定部２２は、心拍数データ１３に基づく心拍数の単位時間あたりの変化量（変化率）が規定の閾値変化率となった場合、トリガー信号２３を選択回路３０に対して出力する。閾値判定部２４は、血圧データ１５に基づく血圧値の単位時間あたりの変化量（変化率）が規定の閾値変化率となった場合、トリガー信号２５を選択回路３０に対して出力する。
【００９８】
閾値判定部２６は、発汗量データ１７に基づく発汗量の単位時間あたりの変化量（変化率）が規定の閾値変化率となった場合、選択回路３０に対してトリガー信号２７を出力する。閾値判定部２８は、涙量データ１９に基づく涙量の単位時間あたりの変化量（変化率）率が規定の閾値変化率となった場合、選択回路３０に対してトリガー信号２９を出力する。
【００９９】
選択回路３０は、第１実施形態乃至第３実施形態と同様に、入力された上限トリガー信号（又は下限トリガー信号）に応じて、各々ライフログとしての映像データ２ａ及び音データ３ａの記録を停止したり、その後記録を再開したり、これら映像データ２ａ及び音データ３ａにおける該当個所を削除する。
【０１００】
このように、上記第４実施形態におけるライフログ記録装置１ｃにおいては、採取した生体情報の変化率を演算する微分演算手段３２，３４，３６，３８（微分器）を有している。
【０１０１】
本実施形態では、記録停止手段４１（記録停止部）は、生体情報の変化率に基づいて、被験者の状態が通常状態から非通常状態に移行したと判明した場合、情報記憶装置６（記録デバイス）に対する情報データ（映像データ２ａ及び音データ３ａ）の記録を停止することを特徴とする。
【０１０２】
まず、被験者の生体情報が規定の閾値以上となっていなくても、短時間に生体情報が変化した場合（変化率が大きい）、利用者は不快に感じることが考えられる。このような構成とすると、このように利用者の生体情報が規定の閾値以上となっていない場合であっても、生体情報の変化率に基づいて利用者が不快に感じる状況を把握することができる（以下「利用者が不快に感じている状況」という）。さらに、変化率が小さい場合には、被験者の生体情報５ａが規定の閾値以上となってもトリガーが生じない。このように本実施形態では、大きな感情の変化のみを検出できるので、不要な停止を排除することもできる。
【０１０３】
このような利用者が不快に感じている状況でも、記録停止部４１が、これを契機として情報記録装置６（記録デバイス）への情報データ２ａ，３ａ（映像データ及び音データ）の記録を停止することができるため、利用者が不快に感じるライフログを残さないようにすることができる。
【０１０４】
また本実施形態では、記録再開手段４２（記録再開部）は、生体情報の変化率に基づいて、被験者の状態が非通常状態から通常状態に移行したと判明した場合、情報記憶装置に対する情報データの記録を再開することを特徴とする。
【０１０５】
まず、被験者の生体情報が規定の閾値以下となっていなくても、短時間に生体情報が変化した場合（変化率が大きい）、利用者は不快に感じなくなることが考えられる。このような構成とすると、このように利用者の生体情報が規定の閾値以下となっていない場合であっても、生体情報の変化率に基づいて利用者が不快に感じない状況を把握することができる。
【０１０６】
このような利用者が不快に感じない状況において、記録再開部４２が、これを契機として情報記録装置６（記録デバイス）への情報データ２ａ，３ａ（映像データ及び音データ）の記録を再開することができるため、利用者が不快に感じないライフログをより多く残すことができる。
【０１０７】
また本実施形態では、情報データ削除手段４３は、生体情報の変化率に基づいて、被験者の状態が通常状態から非通常状態に移行していた部分に該当する情報記憶装置６（記録デバイス）に記録済みの情報データ（ライフログ）を部分的に削除することを特徴とする。
【０１０８】
上述ような利用者が不快に感じている状況でも、削除部４３が、これを契機として情報記録装置６（記録デバイス）に記憶済みの情報データ２ａ，３ａ（映像データ及び音データ）のうち、利用者が不快に感じる部分をライフログとして残さないようにすることができる。
【０１０９】
なお、本実施形態は、上記に限られず、種々の変形が可能である。以下、そのような変形例を順を追って説明する。
＜変形例＞
上記各実施形態におけるライフログ記録装置１等は、複数代用意しておけば、複数の被験者としての利用者が同時に利用することができる。この場合、複数の利用者がある時間帯において近接した位置に存在していた場合、ライフログ記録装置１等が互いの利用者に関する映像データ２ａ及び音データ３ａといったライフログを採取しあうことも考えられる。
【０１１０】
このような状況においては、他人は不快に感じなくても自己が不快に感じる状況もあり得る。このような状況においては、自己が不快に感じているにもかかわらず、他人のライフログに自己が残存してしまうことも考えられる。そこでライフログ記録装置１の変形例においては、次のような構成を採用することによってこれを回避できることが考えられる。
【０１１１】
すなわち、上記各実施形態では、自己の生体情報に基づいて自己のライフログ（映像データ２ａ及び音データ３ａ）を採取していたが、本変形例では、自己の生体情報５ａに基づいて他人のライフログ（映像データ２ａ及び音データ３ａ）を削除する形態であってもよい。
【０１１２】
具体的には、本変形例におけるライフログ記録装置は、被験者（自己）が感じ取りうる情報として自己の情報データを取得する情報データ取得手段（カメラ２、マイクロフォン３）と、この情報データ取得手段（カメラ２、マイクロフォン３）の作動に同期しつつ他人の状態を表す他人の生体情報５ａを採取する他人の生体情報採取手段５（生体情報取得部）と、当該他人の生体情報に同期している自己の情報データを記憶可能な情報記憶装置６（記録デバイス）と、当該他人の生体情報に基づいて自己が通常状態から非通常状態に移行したと判断した場合、その情報記憶装置６（記録デバイス）に記憶済みの自己の情報データを削除若しくは自己の情報データの取得を停止する情報データ操作手段とを有している。
【０１１３】
このような変形例によれば、例えば自己のライフログ中に他人にとって都合の悪い内容があった場合、記録済みのライフログのうち都合の悪い部分を自動的に削除したり、取得を停止することで、このような都合の悪い自己のライフログ（映像データ２ａ及び音データ３ａ）を残さないようにすることができる。
【０１１４】
上記実施形態では、上限トリガーがあった場合に通常状態から非通常状態に移行し、下限トリガーがあった場合に非通常状態から通常状態に移行しているが、これに限られず、下限トリガーがあった場合に通常状態から非通常状態に移行し、上限トリガーがあった場合に非通常状態から通常状態に移行するようにしてもよい。
【０１１５】
上記各実施形態においては、上記情報データとして、例えば映像、音声、気温、気圧など、被験者が五感のうち少なくとも１つの感覚で感じ取ることができる情報（特定情報）を取り扱っている。しかも、上記各実施形態においては、上記生体情報として、例えば心拍数、血圧、発汗量など、被験者の状態を表す生体情報（例えば生体情報データ）を取り扱っている。
【０１１６】
また、上記各実施形態においては、上記ライフログとして、例えばこれら特定情報、生体情報、時刻データ（素材時刻情報など）、場所データ（位置情報）のいずれか又はこれらいずれかの組み合わせを含んでいる。上記各実施形態では、上記特定情報のみならず、このライフログが記録対象とされたり編集対象とされるようにすることができる。このライフログに関しては、上記特定情報のみならず、上記生体情報も記録対象としたり編集対象としている。上記実施形態では、このような記録対象及び編集対象の少なくとも一方として上記生体情報が含まれるようにしてもよい。
【図面の簡単な説明】
【０１１７】
【図１】本発明の第１実施形態としてのライフログ記録装置及びサーバの構成例を示すシステム構成図である。
【図２】図１に示す各ブロックのうち主として生体情報取得部、判断回路及び制御回路の電気的な構成例を示すブロック図である。
【図３】プリセットモードにおける設定処理の手順の一例を示すフローチャートである。
【図４】ライフログの記録処理の手順の一例を示すフローチャートである。
【図５】本発明の第２実施形態としてのライフログ記録装置の一部の構成例を示すブロック図である。
【図６】第２実施形態における設定処理の手順の一例を示すフローチャートである。
【図７】第２実施形態としてのライフログ記録装置の動作例を示すフローチャートである。
【図８】第３実施形態としてのライフログ記録装置の一部の構成例を示すブロック図である。
【図９】設定処理の手順の一例を示すフローチャートである。
【図１０】第３実施形態としてのライフログ記録装置の動作例を示すフローチャートである。
【図１１】本発明の第４実施形態としてのライフログ記録装置の構成例を示すブロック図である。
【符号の説明】
【０１１８】
１                ライフログ記録装置（情報データ記録装置）
１ａ              ライフログ記録装置（情報データ記録装置）
１ｂ              ライフログ記録装置（情報データ記録装置）
１ｃ              ライフログ記録装置（情報データ記録装置）
２                カメラ（情報データ取得手段）
２ａ              映像データ（情報データ）
３                マイク（情報データ取得手段）
３ａ              音データ（情報データ）
５                生体情報取得部（生体情報取得手段、他人の生体情報採取手段）
９                判断回路（記録停止手段、記録再開手段、情報データ削除手段、情報データ操作手段）
３０              選択回路（記録停止手段、停止作動手段の一部、記録再開手段、再開作動手段の一部、情報データ削除手段、削除作動手段の一部、情報データ操作手段）
３０ａ            設定記憶部（停止条件管理手段、再開条件管理手段、削除条件管理手段）
４１              記録停止部（記録停止手段）
４２              記録再開部（記録再開手段）
４３              削除部（削除指示手段）
【図１】
2008251073.tif 000003
【図２】
2008251073.tif 000004
【図３】
2008251073.tif 000005
【図４】
2008251073.tif 000006
【図５】
2008251073.tif 000007
【図６】
2008251073.tif 000008
【図７】
2008251073.tif 000009
【図８】
2008251073.tif 000010
【図９】
2008251073.tif 000011
【図１０】
2008251073.tif 000012
【図１１】
2008251073.tif 000013